(57)【要約】【課題】接点部への防塵対策及び静電対策を向上させたプッシュスイッチを提供する。【解決手段】プッシュスイッチ１において、第１の固定接点９および第２の固定接点１０を有するハウジング２に、第１の固定接点９および第２の固定接点１０に対向して可動接点板４が配され、可動接点板４の上方に絶縁シート５が配され、絶縁シート５の上方にクリック感触発生部材６が重ねて配されており、絶縁シート５は、可動接点板４を保持しつつ、可動接点板４の腕部４２の先端まで覆うようにクリック感触発生部材６と可動接点板４との間に配されて、クリック感触発生部材６の配される空間と可動接点板４の配される空間とを分離していることを特徴としている。【選択図】図１
0003169054.tif 000002
【実用新案登録請求の範囲】
【請求項１】
底面に複数の固定接点を有するハウジングと、押圧操作に応じて前記複数の固定接点に離接する可動接点板と、前記可動接点板を挟んで前記複数の固定接点の反対側に配置され、押圧操作に応じてクリック感触を発生させるクリック感触発生部材とを具備し、
前記複数の固定接点は、第１の固定接点と、第２の固定接点とを有し、
前記可動接点板は、第１の固定接点に対向配置される本体部と、当該本体部から延在し、前記第１の固定接点の外側に配置される前記第２の固定接点に対向配置される腕部とを有し、前記ハウジングは、底面から離間した位置で前記腕部の端部近傍で前記可動接点板を支持する第１の支持部と、当該第１の支持部よりも底面から離間した位置で前記クリック感触発生部材を支持する第２の支持部とを有し、
第１の押圧操作を受けると前記クリック感触発生部材が押されて押圧方向に対して反転し前記可動接点板が押されて前記可動接点板の腕部と前記第２の固定接点とが接し導通状態となり、更に押圧する第２の押圧操作を受けると前記可動接点板の本体部と前記第１の固定接点とが接し導通状態となるプッシュスイッチにおいて、
前記可動接点板を保持しつつ前記腕部の先端まで覆う絶縁シートが、前記クリック感触発生部材と前記可動接点板との間に配されて、前記クリック感触発生部材の配される空間と前記可動接点板の配される空間とを分離していることを特徴とするプッシュスイッチ。
【請求項２】
前記第２の支持部は複数からなり、前記絶縁シートは、前記複数の第２の支持部の間で前記クリック感触発生部材の後方側に、その一部が位置するように前記ハウジングに配されていることを特徴とする請求項１記載のプッシュスイッチ。
【請求項３】
前記絶縁シートは、略８角形形状をしており、長手方向に沿って対向する辺同士が最も短く形成され、これら辺の両側にそれぞれ傾斜辺が形成されていることを特徴とする請求項１または請求項２記載のプッシュスイッチ。
【請求項４】
押圧操作される操作部材を有し、前記操作部材は前記クリック感触発生部材に押圧を伝達するための伝達部を有し、前記クリック感触発生部材は３つの突起部を有しており、前記脚部は前記３つの突起部を結ぶ円周の外方側までを押圧する径となっていることを特徴とする請求項１乃至請求項３のいずれかに記載のプッシュスイッチ。
【考案の詳細な説明】
【技術分野】
【０００１】
本発明は、プリント基板の縁部に実装可能な電子部品に関し、特に、横押しタイプのプッシュスイッチにおいて、防塵性及び静電対策を向上させたプッシュスイッチに関する。
【背景技術】
【０００２】
横押しタイプのプッシュスイッチの従来技術として、特許文献１では、図８に示すように、プリント基板の縁部に形成された切り欠き部に実装されるプッシュスイッチ１Ａが提案されている。図８に示すプッシュスイッチ１Ａは、複数の固定接点を有するハウジング２Ａに、複数の固定接点（中央固定接点９Ａ及び外部固定接点１０Ａ）に対向して可動接点板４Ａが配され、可動接点板４Ａの上方に絶縁シート５Ａが配され、絶縁シート５Ａの上方にクリック感触発生部材６Ａが重ねて配されており、操作部材７Ａが押圧操作されることで、クリック感触発生部材６Ａと可動接点板４Ａが押圧されてクリック感触が発生するとともに、複数の固定接点間が可動接点板４を介して導通されるものとなっている。そして、可動接点板４Ａの上方を覆っている絶縁シート５Ａは、複数の固定接点（中央固定接点９Ａ及び外部固定接点１０Ａ）及び可動接点板４Ａからなる接点部に対する防塵性を高めるものとなっている。
【先行技術文献】
【特許文献】
【０００３】
【特許文献１】特許４５２１０４５号
【考案の開示】
【考案が解決しようとする課題】
【０００４】
しかしながら、従来技術では、絶縁シートが可動接点板の腕部の先端部分までを覆うものではなかったため、プッシュスイッチが置かれる環境によっては、接点部への防塵性及び静電対策が必ずしも十分なものではなくなる恐れがあった。
【０００５】
本考案は、上述した課題を解決するもので、接点部への防塵性及び静電対策を向上させたプッシュスイッチを提供することを目的とする。
【課題を解決するための手段】
【０００６】
この課題を解決するために、本考案の請求項１によるプッシュスイッチは、底面に複数の固定接点を有するハウジングと、押圧操作に応じて前記複数の固定接点に離接する可動接点板と、前記可動接点板を挟んで前記複数の固定接点の反対側に配置され、押圧操作に応じてクリック感触を発生させるクリック感触発生部材とを具備し、
前記複数の固定接点は、第１の固定接点と、第２の固定接点とを有し、
前記可動接点板は、第１の固定接点に対向配置される本体部と、当該本体部から延在し、前記第１の固定接点の外側に配置される前記第２の固定接点に対向配置される腕部とを有し、前記ハウジングは、底面から離間した位置で前記腕部の端部近傍で前記可動接点板を支持する第１の支持部と、当該第１の支持部よりも底面から離間した位置で前記クリック感触発生部材を支持する第２の支持部とを有し、
第１の押圧操作を受けると前記クリック感触発生部材が押されて押圧方向に対して反転し前記可動接点板が押されて前記可動接点板の腕部と前記第２の固定接点とが接し導通状態となり、更に押圧する第２の押圧操作を受けると前記可動接点板の本体部と前記第１の固定接点とが接し導通状態となるプッシュスイッチにおいて、
前記可動接点板を保持しつつ前記腕部の先端まで覆う絶縁シートが、前記クリック感触発生部材と前記可動接点板との間に配されて、前記クリック感触発生部材の配される空間と前記可動接点板の配される空間とを分離していることを特徴としている。
【０００７】
また、本考案の請求項２によるプッシュスイッチは、前記第２の支持部は複数からなり、前記絶縁シートは、前記複数の第２の支持部の間で前記クリック感触発生部材の後方側に、その一部が位置するように前記ハウジングに配されていることを特徴としている。
【０００８】
また、本考案の請求項３によるプッシュスイッチは、前記絶縁シートは、略８角形形状をしており、長手方向に沿って対向する辺同士が最も短く形成され、これら辺の両側にそれぞれ傾斜辺が形成されていることを特徴としている。
【０００９】
また、本考案の請求項４によるプッシュスイッチは、押圧操作される操作部材を有し、前記操作部材は前記クリック感触発生部材に押圧を伝達するための伝達部を有し、前記クリック感触発生部材は３つの突起部を有しており、前記伝達部は前記３つの突起部を結ぶ円周の外方側までを押圧する径となっていることを特徴としている。
【考案の効果】
【００１０】
請求項１の考案によれば、本考案のプッシュスイッチは、クリック感触発生部材の配される空間と可動接点板の配される空間とを分離しているので、固定接点部に対する防塵性及び静電対策を向上させることができる。
【００１１】
請求項２の考案によれば、本考案のプッシュスイッチは、絶縁シートとクリック感触発生部材とを干渉することなく配置することができる。
【００１２】
請求項３の考案によれば、本考案のプッシュスイッチは、前記絶縁シートを略８角形形状とすることで、腕部を確実に覆うとともに、支持部の形成部分も確保できる。
【００１３】
請求項４の考案によれば、本考案のプッシュスイッチは、押圧操作時のクリック感触を向上させることができる。
【００１４】
したがって、本考案によれば、接点部への防塵性及び静電対策を向上させたプッシュスイッチを提供することができる。
【考案を実施するための最良の形態】
【００１５】
以下、本発明の一実施の形態について添付図面を参照して詳細に説明する。図１は、本実施の形態に係る電子部品で構成されるプッシュスイッチの分解斜視図である。図２は、本実施の形態に係るプッシュスイッチの斜視図である。なお、以下においては、図１における左方側をプッシュスイッチの前方側と呼び、同図における右方側をプッシュスイッチの後方側と呼ぶものとする。
【００１６】
本実施の形態に係る電子部品は、プリント基板の縁部に形成された切り欠き部に実装される横押しタイプのプッシュスイッチ１を構成する。例えば、このプッシュスイッチ１は、カメラ機能付き携帯電話機のシャッターボタンとして適用されるが、これに限定されるものではない。２段階で動作するダブルアクションタイプのプッシュスイッチを必要とする装置であれば、いかなる装置にも適用することが可能である。
【００１７】
図１に示すように、プッシュスイッチ１は、前面に開口部２１を有する合成樹脂製のハウジング２と、インサート成形によってハウジング２に形成された複数の端子部材３と、ハウジング２の内部空間に収納された可動接点板４、絶縁シート５及びクリック感触発生部材６と、ハウジング２の内部空間で前後移動可能な操作部材７と、ハウジング２に取り付けられ、操作部材７の脱落を防止するフレーム８と、ハウジング２の内底部に配設された中央固定接点９及び外部固定接点１０とにより主に構成されている。
【００１８】
ハウジング２の側面には、図１に示すように、その上方側部分で側方側に張り出したガイド壁部２２ａが設けられている。これらのガイド壁部２２ａの後方側端部には、後述するフレーム８の係合爪８６が係合する凹部２２ｂが形成されている。また、ハウジング２の側面の下方側端部には、後述するフレーム８の係合爪８７が係合する凹部２３が形成されている。さらに、ガイド壁部２２ａよりもプッシュスイッチ１の僅かに内側に、前方側に突出する一対の係合突起部２４が設けられている。係合突起部２４は、フレーム８を位置決めするためのものである。
【００１９】
ハウジング２の内部空間の底面には、概して円形状を有する凹部２５が形成されている。凹部２５には、その中央に第１の固定接点である中央固定接点９が埋設されると共に、この中央固定接点９の側方側に第２の固定接点である一対の外部固定接点１０が埋設されている。これらの中央固定接点９及び外部固定接点１０からそれぞれ対応する端子部材３が、プッシュスイッチ１の後面から後方側に導出されている（図３参照）。
【００２０】
凹部２５の周囲には、凹部２５よりも前方側の位置に配置された第２の支持部である平面部２６が形成されている。平面部２６は、絶縁シート５を支持するとともに、絶縁シート５の一部が貼り付け固定される部分となっている。凹部２５の側方側であって平面部２６の間の位置には、スリット部２７が形成されている。スリット部２７は、凹部２５と同一平面上に設けられている。このスリット部２７の先に、後述する可動接点板４の腕部４２を支持する第１の支持部である支持片２８が設けられている。支持片２８は、凹部２５の底面よりも僅かに前方側の位置に配置される一方、平面部２６よりも僅かに後方側の位置に配置されている。この支持片２８の上方側及び下方側の位置には、平面部２６よりも前方側の位置に配置される支持台２９が形成されている。支持台２９は、クリック感触発生部材６の端部を支持する部分である。
【００２１】
可動接点板４は、板ばねで構成されており、操作部材７に対する押圧操作に応じてハウジング２の底面に埋設された中央固定接点９及び外部固定接点１０と接し、所定の導通状態を形成するものである。また、可動接点板４は、操作部材７に対する押圧操作に応じてクリック感触を発生させるものである。可動接点板４は、本体部である円形状部４１と、一対の腕部４２を有している。円形状部４１は、前方側に僅かに膨出形成されたドーム形状を有している。腕部４２は、円形状部４１の外周の対向する位置から側方側に延出して形成されている。可動接点板４、中央固定接点９及び外部固定接点１０により接点部が構成されるものとなっている。
【００２２】
絶縁シート５は、ハウジング２の平面部２６の外形に応じた形状を有している。絶縁シート５の後面には接着剤が塗布されている。この絶縁シート５は、可動接点板４と固定接点９等とから成る接点部に塵や埃等が侵入するのを防止する防塵材としての役割を果たすものである。絶縁シート５は可動接点板４の全範囲を完全に覆っており（図５）、その形状は略８角形形状をしており、長手方向に沿って対向する辺同士が最も短く形成され、これら辺の両側にそれぞれ傾斜辺が形成されている。
【００２３】
クリック感触発生部材６は、板ばねで構成されており、操作部材７に対する押圧操作に伴うクリック感触を発生するものである。クリック感触発生部材６は、プッシュスイッチ１の前方側に僅かに膨出形成されたドーム形状を有している。また、クリック感触発生部材６の絶縁シートに対向する側には同一円周上に等間隔で３つの突起が形成されている。
【００２４】
操作部材７は、例えば、絶縁性の樹脂材料で構成され、ヘッド部７１、板状部７２及び脚部７３を有している（図１において脚部７３は不図示、図３参照）。板状部７２は、概して方形状を有し、その前面部中央から円柱形状のヘッド部７１が立設される一方、その後面部中央から円柱形状の脚部７３が立設されている。脚部７３は、操作部材７が押圧操作されたときにクリック感触発生部材６へ押圧操作による押圧力を伝達するための伝達部となっている。脚部７３の円柱形状の径は、クリック感触発生部材６の３つの突起が配置される円周の径よりも大きいものとなっている。そして、脚部７３の外周が３つの突起の外方側にまで突出するように配置されている。
【００２５】
フレーム８は、例えば、金属製の板状部材７２に打ち抜き加工及び折り曲げ加工を施すことにより形成される。フレーム８は、ハウジング２の前面を覆う平面部８１を有している。平面部８１には、その中央に操作部材７のヘッド部７１を通過させる円形状の開口部８２が形成されると共に、この開口部８２の上方側且つ側方側にハウジング２の係合突起２４と係合する係合孔８３が形成されている。平面部８１の側端部には、その上端部及び下端部近傍に後方側に延出する係合片８４、８５が設けられている。係合片８４、８５は、ハウジング２の側方側から後方側に延出し、その先端部にハウジング２の凹部２２ｂ及び凹部２３と係合する係合爪８６、８７を有している。
【００２６】
このような構成を有するプッシュスイッチ１を組み立てると、図２に示すように、ハウジング２の内部空間に可動接点板４、絶縁シート５、クリック感触発生部材６を収納すると共に、操作部材７の一部を前方側に突出させた状態でフレーム８がプッシュスイッチ１の前方側から取り付けられる。このとき、フレーム８においては、ハウジング２の係合突起２４を係合孔８３に収容すると共に、係合片８４、８５の係合爪８６、８７がハウジング２の凹部２２ｂ及び凹部２３の後面側で内側に折り曲げられる。
【００２７】
ここで、本実施の形態に係るプッシュスイッチ１の内部構成について図３を用いて説明する。図３は、本実施の形態に係るプッシュスイッチ１の断面図である。なお、図３においては、プッシュスイッチ１の中央固定接点９の中央部分における断面を示している。
【００２８】
可動接点板４が貼り付けられた絶縁シート５は、可動接点板４を凹部２５に埋設された中央固定接点９等に対向させるように平面部２６に貼り付け固定される。クリック感触発生部材６は、絶縁シート５の前方側に配置されており、支持台２９に載置するように配置される。この場合において、クリック感触発生部材６が上方に膨出形成されたドーム形状を有することから、操作部材７に対する押圧操作が行われていない状態において、クリック感触発生部材６と絶縁シート５との間には一定の空間を形成されている。
【００２９】
操作部材７は、脚部７３の後端部がクリック感触発生部材６の前面に接触するように配置される。フレーム８は、このように操作部材７までの構成部品を収納したハウジング２に対して取り付けられる。この場合において、操作部材７には、クリック感触発生部材６の付勢力により前方側に押し出す力が作用している。操作部材７に対する押圧操作が行われていない状態（図３に示す状態）において、操作部材７は、ヘッド部７１の一部がフレーム８の開口部８２を介して前方側に突出すると共に、板状部７２がフレーム８の裏面に当接し、操作部材７の前方側への移動を規制している。
【００３０】
次に、本実施の形態に係るプッシュスイッチ１のハウジング２に収納される構成部品の位置関係について説明する。図４〜図７は、本実施の形態に係るプッシュスイッチ１のハウジング２に収納される構成部品の位置関係を説明するための図である。図４においては、本実施の形態に係るプッシュスイッチ１のハウジング２の正面図を示し、図５〜図７においては、図４に示すハウジング２にそれぞれ可動接点板４、絶縁シート５及びクリック感触発生部材６を収納した状態について示している。
【００３１】
図４に示すように、ハウジング２の内部空間の底面に形成された凹部２５には、中央部に中央固定接点９が配置され、その側方側に一対の外部固定接点１０が配置されている。中央固定接点９は、概して円形状を有しており、外部固定接点１０は、上下方向に縦長の長方形状を有している。外部固定接点１０の側方側に、スリット部２７を挟んで支持片２８が設けられている。また、凹部２５の上方側及び下方側に概して半円弧形状の平面部２６が設けられ、この平面部２６の側方側に支持台２９が支持片２８を挟んで上下に設けられている。
【００３２】
可動接点板４は、このような構成を有するハウジング２に対して、図５に示すように配置される。なお、可動接点板４は、上述のように、絶縁シート５に貼り付けられた状態でハウジング２内に配置されるが、説明の便宜上、単独の構成部品として示している。可動接点板４においては、円形状部４１が凹部２５に対応する位置に配置され、腕部４２がスリット部２７及び支持片２８に対応する位置に配置されている。このように配置された状態において、円形状部４１は、その中央部分が中央固定接点９に対向する位置に配置され、円形状部４１と腕部４２との連結部分が外部固定接点１０に対向する位置に配置されている。この場合において、腕部４２の端部は、支持片２８に支持された状態となっている。
【００３３】
絶縁シート５は、図６に示すように、その下面に可動接点板４を貼り付けた状態において、その端部を平面部２６（絶縁シート５に覆われ見えないので図示していない）に貼り付くように配置される。この場合において、平面部２６は、上述のように、支持片２８よりも僅かに前方側（図６に示す紙面手前側）の位置に配置されている。このため、平面部２６に貼り付け固定された絶縁シート５が可動接点板４の動作を規制することはない。
【００３４】
クリック感触発生部材６は、このように絶縁シート５が貼り付けられたハウジング２に対して、図７に示すように、その端部において、支持台２９に載置するように配置される。支持台２９は、平面部２６に貼り付け固定された絶縁シート５よりも前方側の位置に配置されている。そして、絶縁シート５は、複数の支持台２９の間でクリック感触発生部材６の後方側に、その一部が配置されている。一方、クリック感触発生部材６がドーム形状を有しているため、使用者による押圧操作が行われていない状態において、クリック感触発生部材６が絶縁シート５に接触することはない。
【００３５】
ここで、本実施の形態に係るプッシュスイッチ１における動作について図３及び図５を参照しながら説明する。プッシュスイッチ１は、使用者による押圧操作に応じて２段階の動作を行うものである。図３に示す初期状態（押圧操作を受けていない状態）のプッシュスイッチ１において、使用者から第１段階の押圧操作を受け付けた場合、操作部材７が後方側に押し込まれ、その脚部７３の後端部がクリック感触発生部材６を後方側に押し込む。脚部７３により押し込まれると、クリック感触発生部材６の後面が絶縁シート５に接触し、その後面に貼り付けられている可動接点板４も後方側に僅かに押し込まれる。
【００３６】
可動接点板４は、図５に示すように、腕部４２で支持片２８に支持されている。このため、後方側に僅かに押し込まれると、可動接点板４全体ではなく、その円形状部４１と腕部４２との連結部分が後方側に移動する。このため、当該連結部分が双方の外部固定接点１０に接触することにより、可動接点板４と外部固定接点１０とが導通状態となり、プッシュスイッチ１から搭載される装置（以下、「搭載装置」という）に第１段階の押圧操作に応じた出力信号が出力される。この場合において、可動接点板４の円形状部４１と中央固定接点９とは接触していない。
【００３７】
なお、クリック感触発生部材６は、このように第１段階の押圧操作が行われた時点において、そのドーム形状部分が前後方向に反転するように構成されている。これにより、使用者にクリック感触が付与されることとなる。このクリック感触の付与により、使用者は、第１段階の押圧操作が適切に行われたことを認識することが可能となる。
【００３８】
そして、第１段階の押圧操作が行われた状態において、使用者から第２段階の押圧操作を受け付けた場合、更に操作部材７が後方側に押し込まれ、その脚部７３の後端部が更クリック感触発生部材６を後方側に押し込む。脚部７３により更に押し込まれると、クリック感触用板６の後面に配されている３つの突起が、絶縁シート５を介して可動接点板４を更に後方側に押し込む。操作部材７の脚部７３の径が３つの突起部の外方側まで押圧するので、押し込まれたときに３つの突起部がほぼ同時に移動することとなり、可動接点板４を確実に押し込むので、可動接点板４の動作時のクリック感触が向上するものとなっている。
【００３９】
この場合、可動接点板４は、その円形状部４１と腕部４２との連結部分が外部固定接点１０に接触した状態で、円形状部４１が押し込まれることとなる。このため、円形状部４１の中央部分が中央固定接点９に接触することにより、可動接点板４と、中央固定接点９及び外部固定接点１０とが導通状態となり、プッシュスイッチ１から搭載装置に第２段階の押圧操作に応じた出力信号が出力される。
【００４０】
なお、可動接点板４は、このように第２段階の押圧操作が行われた時点において、そのドーム形状部分が前後方向に反転するように構成されている。これにより、使用者にクリック感触が付与されることとなる。このクリック感触の付与により、使用者は、第２段階の押圧操作が適切に行われたことを認識することが可能となる。
【００４１】
このように構成された本実施の形態に係るプッシュスイッチ１においては、可動接点板４を保持しつつ、可動接点板４の腕部４２の先端まで覆う絶縁シート５が設けられており、この絶縁シート５は、クリック感触発生部材６の配される空間と可動接点板４の配される空間とを分離しているので、接点部に対する塵防性及び静電対策の向上をさせることができる。
特に、絶縁シート５を略８角形形状とすることで、腕部４２を確実に覆うとともに、絶縁シート５とクリック感触発生部材６とを干渉することなく配置することができる。
また、脚部７３の径がクリック感触発生部材６の３つの突起部を結ぶ円周の径の外方側まで押圧可能な径であるので、押圧操作時のクリック感触を向上させることができる。
【００４２】
なお、本考案は上記実施の形態に限定されず、種々変更して実施することが可能である。上記実施の形態において、添付図面に図示されている大きさや形状などについては、これに限定されず、本考案の効果を発揮する範囲内で適宜変更することが可能である。その他、本考案の目的の範囲を逸脱しない限りにおいて適宜変更して実施することが可能である。
【００４３】
例えば、上記実施の形態においては、絶縁シート５を略８角形形状とすることで、腕部４２を確実に覆っているが、絶縁シート５の形状は略８角形に限るものではなく、腕部４２を確実に覆うことを条件として、略８角形以外の略多角形や略楕円形などでもよい。
【００４４】
その他、本考案は要旨を逸脱しない範囲で種々変更して実施することができる。
【図面の簡単な説明】
【００４５】
【図１】本実施の形態に係るプッシュスイッチの分解斜視図である。
【図２】上記実施の形態に係るプッシュスイッチの斜視図である。
【図３】上記実施の形態に係るプッシュスイッチの断面図である。
【図４】上記実施の形態に係るプッシュスイッチのハウジングに収納される構成部品の位置関係を説明するための図である。
【図５】上記実施の形態に係るプッシュスイッチのハウジングに収納される構成部品の位置関係を説明するための図である。
【図６】上記実施の形態に係るプッシュスイッチのハウジングに収納される構成部品の位置関係を説明するための図である。
【図７】上記実施の形態に係るプッシュスイッチのハウジングに収納される構成部品の位置関係を説明するための図である。
【図８】従来例の形態に係るプッシュスイッチの分解斜視図である。
【符号の説明】
【００４６】
１  プッシュスイッチ
２  ハウジング
２１  開口部
２２ａ  ガイド壁部
２２ｂ、２３  凹部
２４  係合突起部
２５  凹部
２６  平面部
２７  スリット部
２８  支持片（第１の支持部）
２９  支持台（第２の支持部）
３  端子部材
４  可動接点板
４１  円形状部（本体部）
４２  腕部
５  絶縁シート
６  クリック感触発生部材
７  操作部材
７１  ヘッド部
７２  板状部
７３  脚部（伝達部）
８  フレーム
８１  平面部
８２  開口部
８３  係合孔
８４、８５  係合片
８６、８７  係合爪
９  中央固定接点（第１の固定接点）
１０  外部固定接点（第２の固定接点）
【図１】
0003169054.tif 000003
【図２】
0003169054.tif 000004
【図３】
0003169054.tif 000005
【図４】
0003169054.tif 000006
【図５】
0003169054.tif 000007
【図６】
0003169054.tif 000008
【図７】
0003169054.tif 000009
【図８】
0003169054.tif 000010